(57)【要約】【課題】適切に画像を提供すること。【解決手段】価格設定装置１は、表示装置４で表示されている画像に関連する情報を受信する受信部１と、受信部１で受信された情報に基づいて、表示装置４で表示されている画像の次に表示装置４で表示される画像の価格を決める価格決定部１と、を備える。【選択図】図１
2015049598.tif 000002
【特許請求の範囲】
【請求項１】
表示装置で表示されている画像に関連する情報を受信する受信部と、
前記受信部で受信された前記情報に基づいて、前記表示装置で表示されている前記画像の次に前記表示装置で表示される画像の価格を決める価格決定部と、
を備えることを特徴とする価格設定装置。
【請求項２】
請求項１に記載の価格設定装置において、
前記価格決定部は、前記表示装置に表示されている前記画像が購入されてから経過した時間に応じて前記価格を変えることを特徴とする価格設定装置。
【請求項３】
請求項１または２に記載の価格設定装置において、
前記価格決定部は、前記表示装置に表示されている前記画像が表示されてから経過した時間に応じて前記価格を変えることを特徴とする価格設定装置。
【請求項４】
請求項１〜３のいずれか一項に記載の価格設定装置において、
前記価格決定部は、前記表示装置に表示されている画像と、前記表示装置で次に表示される画像との関連性に応じて前記価格を変えることを特徴とする価格設定装置。
【請求項５】
請求項１〜４のいずれか一項に記載の価格設定装置と、
前記表示装置へ向けて前記表示装置で次に表示される画像の送信を許可する送信許可部とを備えることを特徴とする価格設定装置。
【請求項６】
請求項５に記載の価格設定装置と、
画像データを記憶媒体に保持しない表示装置と、
を備えることを特徴とする画像提供システム。
【請求項７】
請求項６に記載の画像提供システムであって、
前記表示装置は、前記表示装置が表示している画像に関連する前記情報を送信する情報送信部とを備え、
前記表示装置と前記価格設定装置との間で前記情報のやり取りを介し、前記表示装置で表示されている前記画像の次に前記表示装置で表示される画像を選択可能な中継装置とを備える
ことを特徴とする画像提供システム。
【請求項８】
請求項７に記載の画像提供システムであって、
前記中継装置は、次に前記表示装置で表示される画像を選択可能な表示部が設けられる
ことを特徴とする画像提供システム。
【請求項９】
表示装置で表示されている画像に関連する情報を受信する処理と、
前記受信処理で受信された前記情報に基づいて、前記表示装置で表示されている前記画像の次に前記表示装置で表示される画像の価格を決める価格決定処理と、
をコンピュータに実行させることを特徴とする価格設定プログラム。
【発明の詳細な説明】
【技術分野】
【０００１】
本発明は、価格設定装置、画像提供システムおよび価格設定プログラムに関する。
【背景技術】
【０００２】
外部から取得した画像を、メモリ性を具備する表示装置に表示させるのみで、当該画像のデータをメモリ上に残さない情報端末が知られている。
【先行技術文献】
【特許文献】
【０００３】
【特許文献１】特開２００５−１６５６６４号公報
【発明の概要】
【発明が解決しようとする課題】
【０００４】
発明者は、上述したような表示装置で表示する画像を有償で提供する仕組みを見出した。
【課題を解決するための手段】
【０００５】
請求項１に記載の価格設定装置は、表示装置で表示されている画像に関連する情報を受信する受信部と、受信部で受信された情報に基づいて、表示装置で表示されている画像の次に表示装置で表示される画像の価格を決める価格決定部と、を備えることを特徴とする。
請求項６に記載の画像提供システムは、請求項５に記載の価格設定装置と、画像データを記憶媒体に保持しない表示装置と、を備えることを特徴とする。
請求項９に記載の価格設定プログラムは、表示装置で表示されている画像に関連する情報を受信する処理と、受信処理で受信された情報に基づいて、表示装置で表示されている画像の次に表示装置で表示される画像の価格を決める価格決定処理と、をコンピュータに実行させることを特徴とする。
【発明の効果】
【０００６】
本発明によれば、適切に、画像を提供できる。
【図面の簡単な説明】
【０００７】
【図１】本発明の第一の実施形態による画像提供装置の全体構成を例示する図である。
【図２】サーバおよびパソコンが実行する処理の流れを説明するフローチャートである。
【図３】新規購入するユーザーのパソコンの表示画面を例示する図である。
【図４】買替えユーザーのパソコンの表示画面を例示する図である。
【図５】図３においてボタンが操作された後にパソコンに表示される画面を例示する図である。
【図６】図４においてボタンが操作された後にパソコンに表示される画面を例示する図である。
【図７】第三の実施形態における買替えユーザーのパソコンの表示画面を例示する図である。
【図８】図７においてボタンが操作された後にパソコンに表示される画面を例示する図である。
【図９】第三の実施形態においてパソコンが実行する処理の流れを説明するフローチャートである。
【発明を実施するための形態】
【０００８】
以下、図面を参照して本発明を実施するための形態について説明する。
（第一の実施形態）
図１は、本発明の第一の実施形態による画像提供装置の全体構成を例示する図である。画像提供装置の使用場面は、以下の通りである。ユーザーは、いわゆる電子ペーパーと呼ばれる表示端末４に、画像の提供者から購入した画像を表示させて、表示画像を鑑賞する。
【０００９】
表示端末４は、特許文献１に例示されるように、電力を消費しなくても表示状態を保持する表示装置であって、例えばユーザーの自宅またはオフィスの壁等に設置される。画像の提供者から購入した画像を上記表示端末４で表示し続けることにより、その表示画像が、あたかも壁に飾った「絵画」のように鑑賞され得る。
【００１０】
表示端末４による表示開始時点（すなわち画像の購入時点）から、例えば数年が経過後、表示画像を別の画像に変更したいユーザーは、画像の提供者から新たに画像を購入する。そして、ユーザーによって新たに購入された画像を上記表示端末４で表示し続けることにより、その表示画像が、あたかも別の「絵画」に買い替えたかのように鑑賞され得る。
【００１１】
上記表示端末４は、新たに購入された画像を表示すると、それまで表示していた旧画像の表示を行えないように構成されている。具体的には、表示端末４は画像を保存するためのメモリを備えていない。このため、画像の提供者は、旧画像の購入金額の一部をユーザーに返金する。これにより、ユーザーは、返金金額分を差し引いた価格で新たな画像を購入できる。
【００１２】
画像提供装置の全体構成を説明する。図１において、サーバ１およびユーザーのパソコン（パーソナルコンピュータ）２が、ネットワーク３に接続されている。表示端末４へは、パソコン２を経由して画像が配信される。画像の提供者は、あらかじめ販売対象の画像をサーバ１に登録しておく。
【００１３】
サーバ１は、例えばデータセンターなどに配置され、画像の提供者によって登録された複数の画像データを管理する。サーバ１は、機能ごとに分けられた複数のサーバによって構成しても構わない。サーバ１には、登録されている画像のデータと、登録画像ごとの販売価格の情報と、登録画像ごとのＩＤとが記録される。サーバ１は、パソコン２からの要求に応じて表示端末４に対して画像を配信するとともに、購入したユーザーへ販売金額を課金するための課金処理を行う。課金処理は、例えば、クレジットカードによる決済、所定の口座からの引き落とし、または購入したユーザーに対する払い込み用紙の送付のうちいずれかを選択して行う。本実施形態のサーバ１は、ユーザー情報やユーザーの購入履歴情報の管理（保存）を行わない。このため、サーバ１は、ユーザーが過去に購入して表示端末４に表示させている画像ＩＤ、購入日時の情報、表示開始日時の情報を、ユーザーのパソコン２からアクセスがあった際に表示端末４からパソコン２を経由して取得する。
【００１４】
パソコン２は、画像購入のためのアプリケーションプログラム(ＡＰ)を実行してサーバ１へアクセスする。ユーザーは、パソコン２を操作しながら購入する画像を選ぶ。ユーザーが購入した画像は、サーバ１からパソコン２を経由して表示端末４へ送られる。パソコン２は、表示端末４へ送信した画像のデータおよびその画像のＩＤをパソコン２内に保存しないように構成される。このため、パソコン２は、表示端末４が表示している画像ＩＤなどの情報を、サーバ１からの求めに応じて表示端末４から取得し、サーバ１へ送信する。
【００１５】
表示端末４は、メモリ型表示パネルに画像を表示する。表示端末４は、画像表示を維持するための電力を消費しないため、画像の鑑賞を目的として壁等に飾る用途に好適である。表示端末４は、通常、パソコン２と接続しておく必要はなく、メモリ型表示パネルに画像を表示させるときだけ、ＵＳＢケーブル等でパソコン２と接続される。表示端末４は、ユーザーが購入した画像をパソコン２からケーブルを介して受け取り、メモリ型表示パネルに表示する。
【００１６】
なお、表示端末４は、旧画像に代えて新たに購入された画像を表示させる場合を除き、表示内容の変更が禁止されている。もしくは、表示内容を変更するための操作系がない構成になっていてもよい。表示端末４は、表示している画像のＩＤと、その画像を購入した日時を示す情報と、その画像を表示開始した日時の情報とを不揮発性メモリに保存しており、必要に応じてこれらの情報を不揮発性メモリから読み出してパソコン２へ送信する。
【００１７】
＜フローチャートの説明＞
パソコン２およびサーバ１が実行する処理の流れについて、図２に例示するフローチャートを参照して説明する。図２において左側のフローは、サーバ１が実行する処理の流れを説明する図であり、ユーザーのパソコン２からサーバ１へアクセスがあると起動される。また、図２において右側のフローは、パソコン２が実行する処理の流れを説明する図であり、アプリケーションプログラム(ＡＰ)によって起動される。
【００１８】
＜サーバの処理＞
ステップＳ１００において、サーバ１は、パソコン２からのアクセスを受け付けてステップＳ１１０へ進む。ステップＳ１１０において、サーバ１は、パソコン２からの情報を受信してステップＳ１２０へ進む。パソコン２からの情報は、例えばユーザーＩＤ、端末ＩＤ、および画像ＩＤ（ユーザーの表示端末４で表示されている画像を特定するための情報）、購入日時情報、表示開始日時情報を含む。本実施形態ではサーバ１にユーザー情報を保存しないので、ユーザーＩＤは、パソコン２がサーバ１へアクセスするための形式的なＩＤでよい。画像ＩＤは、ユーザーの表示端末４で表示されている画像のＩＤである。なお、初めてアクセスしたユーザーの場合は、画像の販売実績がない（すなわち、ユーザーの表示端末４で表示されている画像が存在しない）ので、画像ＩＤ、購入日時情報、表示開始日時情報はブランクとする。
【００１９】
ステップＳ１２０において、サーバ１は、買替えユーザーか否かを判定する。サーバ１は、ステップＳ１１０で受信した情報に画像ＩＤが含まれていた場合にステップＳ１２０を肯定判定してステップＳ１３０へ進む。サーバ１は、ステップＳ１１０で受信した情報に画像ＩＤが含まれていない場合（すなわちブランク）には、ステップＳ１２０を否定判定してステップＳ１７０へ進む。
【００２０】
ステップＳ１３０へ進む場合は買替えユーザーである。サーバ１は、画像ＩＤに対応する縮小画像と、販売中の画像の縮小画像と、これらの価格情報とをパソコン２へ送信してステップＳ１４０へ進む。
【００２１】
ステップＳ１７０へ進む場合は買替えでなく新規購入のユーザーである。サーバ１は、販売中の画像の縮小画像と、これらの価格情報とをパソコン２へ送信してステップＳ１４０へ進む。
【００２２】
ステップＳ１４０において、サーバ１は、パソコン２から購入情報を受信したか否かを判定する。サーバ１は、購入情報を受信した場合にステップＳ１４０を肯定判定してステップＳ１５０へ進み、購入情報を受信しない場合には、ステップＳ１４０を否定判定して購入情報の受信を待つ。購入情報は、例えばユーザーＩＤと、端末ＩＤと、購入画像を示す情報と、代金支払い方法を示す情報とを含む。
【００２３】
ステップＳ１５０において、サーバ１は、課金処理を行ってステップＳ１６０へ進む。ステップＳ１６０において、サーバ１は、購入された画像のデータおよび当該画像のＩＤをパソコン２へ送信し、一連の処理を終了する。なお、サーバ１自身が送信してもよいし、不図示の送信サーバに対して送信を許可してもよい。
【００２４】
＜パソコンの処理＞
パソコン２は、アプリケーションプログラム(ＡＰ)によって起動される際に、表示端末４と接続されているものとする。ステップＳ２００において、パソコン２は、サーバ１へアクセスしてステップＳ２１０へ進む。ステップＳ２１０において、パソコン２は、表示端末４から端末ＩＤ、画像ＩＤ、購入日時情報、表示開始日時情報を取得してサーバ１へ送信し、ステップＳ２２０へ進む。パソコン２は、画像ＩＤが存在しない場合には、その旨をサーバ１へ送信する。
【００２５】
ステップＳ２２０において、パソコン２は、サーバ１からデータを受信してステップＳ２３０へ進む。ステップＳ２３０において、パソコン２は、受信データに基づいて、縮小画像の一覧およびこれらの価格を表示させてステップＳ２４０へ進む。
【００２６】
図３は、新規購入するユーザーのパソコン２の表示画面を例示する図である。新規購入するユーザーの場合、表示端末４に表示中の画像が存在しない（すなわち、ユーザーから提供者への売却対象となる画像が存在しない）ので、図３において売却画像の欄３１はブランク（空白表示、もしくは黒塗りで売却画像がないことを示す）である。図３には、購入画像として、サーバ１によって販売中である画像の縮小画像の一覧と、それぞれの販売価格が表示される。
【００２７】
図４は、買替えユーザーのパソコン２の表示画面を例示する図である。本実施形態において、買替えユーザーの場合は表示端末４に表示中の画像を売却画像とするので、図４の売却画像の欄３１には、売却画像（すなわち、表示端末４に表示されている画像）に対応する縮小画像と、その売却価格が表示される。ここで、売却価格を購入時より安く設定する。例えば、表示端末４に表示中の画像を購入した時点の購入価格が１０００円であった場合に、購入時から１年経過後に買替える際には、売却価格を８００円に設定する。
【００２８】
ユーザーは、購入した画像を１年間鑑賞することができたので、購入価格と売却価格との差額はその対価に相当する。図４には、購入画像として、サーバ１によって販売中である画像の縮小画像の一覧と、それぞれの販売価格が表示される。なお、画像の購入時点からの経過時間が短いほど購入時より売却価格を高くし、購入時点からの経過時間が長いほど購入時より売却価格を低くしてもよい。また、購入時点と表示端末４における表示開始時点とが必ずしも一致しない場合もあるので、画像の表示開始時点からの経過時間が短いほど購入時より売却価格を高くし、画像の表示開始時点からの経過時間が長いほど購入時より売却価格を低くしてもよい。
【００２９】
パソコン２は、購入画像のうち、ユーザー操作によって選択された画像（例えば図３における画像Ａ、図４における画像Ｂ）の周りを太く囲み、どの画像が選択されているかを示す。図２のステップＳ２４０において、パソコン２は、購入ボタンが操作されたか否かを判定する。パソコン２は、「購入する」ボタン３２（図３）、または「売却を承諾して購入する」ボタン３３（図４）が操作された場合にステップＳ２４０を肯定判定してステップＳ２５０へ進む。パソコン２は、「購入する」ボタン３２、または「売却を承諾して購入する」ボタン３３（図４）が操作されない場合には、ステップＳ２４０を否定判定して操作が行われるのを待つ。
【００３０】
ステップＳ２５０において、パソコン２は、購入情報をサーバ１へ送信してステップＳ２６０へ進む。上述したように、購入情報にはユーザーＩＤと、端末ＩＤと、購入画像を示す情報と、代金支払い方法を示す情報とが含まれる。
【００３１】
ステップＳ２６０において、パソコン２は、購入した画像のデータおよび当該画像のＩＤをサーバ１から受信してステップＳ２７０へ進む。ステップＳ２７０において、パソコン２は、サーバ１から受信した画像のデータおよび当該画像のＩＤを表示端末４へ送信してステップＳ２８０へ進む。
【００３２】
ステップＳ２８０において、パソコン２は、上記ステップＳ２６０において受信したデータを一時格納したメモリ領域にランダムデータを上書き記録するとともに、当該メモリ領域を開放（他の処理において使用可能）に設定して図２による処理を終了する。ランダムデータを上書きすることで、画像データの内容は同一性が失われ、このメモリ領域を使用可能としておくことで他のデータがさらに上書きされ得るようになる。この結果、サーバ１から受信した画像データは、パソコン２の内部に残らない。
【００３３】
図５は、図３において「購入する」ボタン３２が操作された後に、ユーザーのパソコン２に表示される画面を例示する図である。売却画像なしで画像Ａを購入した場合には、購入した画像Ａの縮小画像と、購入価格が１０００円である旨が表示される。
【００３４】
図６は、図４において「売却を承諾して購入する」ボタン３３が操作された後に、ユーザーのパソコン２に表示される画面を例示する図である。売却価格が８００円の売却画像が存在する状態で画像Ｂを購入した場合には、購入した画像Ｂの縮小画像と、その購入価格が２０００円である旨と、売却画像に対応する縮小画像と、その売却価格が８００円である旨とが表示される。この場合の支払い金額１２００円＝２０００円−８００円である。
【００３５】
以上説明した第一の実施形態によれば、以下の作用効果が得られる。
（１）サーバ１は、表示端末４で表示されている画像に関連する情報を受信する受信部と、受信部で受信された情報に基づいて、表示端末４で表示されている画像の次に表示端末４で表示される画像の価格を決める価格決定部と、を備えるようにした。これにより、有償で適切に画像を提供できる。例えば、購入済み画像を表示端末４から消去して、新たに購入した画像を表示端末４で表示する場合に、表示端末４に表示されている購入済み画像に応じて、新たに購入する画像の価格を低くすることにより、「物」に対する売買の仕組み（所有している物を売却して、新たな物を購入する際の購入代金の一部に充てる）をコンテンツ画像の売買に適応できる。
【００３６】
（２）価格決定部（サーバ１）は、表示端末４に表示されている画像が購入されてから経過した時間に応じて価格を変えるようにしたので、購入した画像を鑑賞することができた期間を考慮して、適切な対価を設定できる。
【００３７】
（３）価格決定部（サーバ１）は、表示端末４に表示されている画像が表示されてから経過した時間に応じて価格を変えるようにしたので、表示画像を鑑賞することができた期間を考慮して、適切な対価を設定できる。
【００３８】
（４）表示端末４へ向けて当該表示端末４で次に表示される画像の送信を許可する送信許可部（サーバ１）を備えるようにしたので、表示端末４に対し、適切に画像を提供できる。
【００３９】
本実施形態のサーバ１は、ユーザー情報やユーザーの購入履歴情報の管理（保存）を行わずに、ユーザーが過去に購入して表示端末４に表示させている画像のＩＤを表示端末４で保存させて、ユーザーのパソコン２からアクセスがあった際にパソコン２経由で取得するようにした。これにより、サーバ１側で、ユーザー、表示端末、画像等のデータ管理を可能な限り減らすことができ、簡易なシステムでデジタルコンテンツを保護しつつ、画像を売買するシステムを提供できる。
【００４０】
（変形例１）
以上の説明では、買替えユーザーが売却する画像（表示端末４に表示中の画像）の売却価格を、当該画像を購入した時点の購入価格と、購入時からの経過時間とに基づいて決める例を説明した。この代わりに、売却時点における当該画像に対する注目度や人気度に基づいて決めるようにしてもよい。具体的には、注目度や人気度が高いほど売却価格を高くする。また、注目度や人気度が低いほど売却価格を低くしてもよい。表示端末４に表示中の画像に対する注目度や人気度に応じて価格を変えることで、画像の需要を考慮して、適切な対価を設定できる。
【００４１】
（変形例２）
過去に購入した画像と、新たに購入する画像との関連性によって、新たに購入する画像の価格を変えてもよい。例えば、購入済みの画像が作家Ｘによるシリーズ作品の１つであった場合において、新たに購入する画像も同じ作家Ｘによる同一シリーズに含まれる他の作品である場合には、新たに購入する画像の価格を通常の価格より低く設定する。
【００４２】
変形例２によれば、価格決定部（サーバ１）が、表示端末４に表示されている画像と、表示端末４で次に表示される画像との関連性に応じて価格を変えるので、例えば過去の購入実績を考慮して、適切な対価を設定できる。
【００４３】
（第二の実施形態）
第一の実施形態では、サーバ１が、ユーザー情報や端末情報やユーザーの購入履歴情報の管理（保存）を行わない例を説明したが、第二の実施形態では、サーバ１が、ユーザー情報や端末情報やユーザーの購入履歴情報の管理（保存）を行う。すなわち、サーバ１には、登録されている画像のデータと、登録画像ごとの販売価格の情報と、登録画像ごとのＩＤに加えて、ユーザーＩＤと、表示端末４を示す端末ＩＤと、各表示端末４で表示されている画像のＩＤと、その画像の購入日時を示す情報と、その画像の表示開始日時の情報と、が記録される。このうち、表示端末４で表示されている画像のＩＤと、その画像の購入日時を示す情報と、その画像の表示開始日時の情報は、ユーザーＩＤ及び端末ＩＤに紐付けてサーバ１に記録される。
【００４４】
第二の実施形態のサーバ１は、ユーザー情報や端末情報やユーザーの購入履歴情報の管理（保存）を行うため、図２のステップＳ１６０の次に以下の処理を行う。すなわち、サーバ１は、購入された画像のＩＤと、購入日時情報と、表示開始日時情報とをユーザーＩＤ、及び端末ＩＤに関連付けて、購入履歴情報としてサーバ１において保存する。なお、サーバ１が表示端末４の表示開始日時の情報を取得する方法は、表示端末４で表示を開始した際（表示を開始した後、所定時間経過した後でもよい）などに、端末ＩＤと一緒に表示開始日時をサーバ１に送信する。サーバ１は、送信された表示開始日時をサーバ購入履歴情報として端末ＩＤと関連付けて保存する。このように、サーバ１は表示端末４の表示開始日時を取得すればよい。
【００４５】
そして、第二の実施形態のサーバ１は、図２のステップＳ１２０において行う買替えユーザーか否かの判定を、端末ＩＤごとの購入履歴情報を参照して行う。サーバ１は、購入履歴情報を参照した結果、当該端末ＩＤの購入履歴があれば買替えユーザーと判定し、当該端末ＩＤの購入履歴がない場合には、新規購入するユーザーと判定する。
【００４６】
また、第二の実施形態のサーバ１は、端末ＩＤごとの購入履歴情報を用いて、以下のように画像の販売価格を決めてもよい。例えば、購入済みの画像と同じ作家Ｙによって作成された画像を同一端末ＩＤで新たに購入する場合は、新たに購入する画像の価格を通常の価格より低く設定する。
【００４７】
以上説明した第二の実施形態においても、有償で適切に画像を提供できる。例えば、購入済み画像を表示端末４から消去して、新たに購入した画像を表示端末４で表示する場合に、表示端末４に表示されている購入済み画像に応じて、新たに購入する画像の価格を低くすることにより、「物」に対する売買の仕組み（所有している物を売却して、新たな物を購入する際の購入代金の一部に充てる）をコンテンツ画像の売買に適応できる。
【００４８】
（変形例３）
第二の実施形態のサーバ１が管理する端末ＩＤごとの購入履歴情報を用いて、ユーザーが、購入済みの画像の売却と新たな画像の購入とを異なるタイミングで行えるように構成してもよい。例えば、ユーザーが表示端末４に表示中の画像（過去に購入した画像）を先に売却する。この場合、表示端末４に表示する画像が売却により失われるので、表示端末４の表示は、例えば全面黒の画像とする。
【００４９】
サーバ１は、売却された画像のＩＤと、売却日時情報と、売却価格とをユーザーＩＤ、及び端末ＩＤに関連付けて、購入履歴情報に含めてサーバ１において保存する。サーバ１は、後日、このユーザーが当該表示端末４に表示させる新たな画像を購入する際に、購入履歴情報を参照して、新たに購入しようとする画像の価格を通常の価格よりも低く設定する。変形例３によれば、購入済みの画像の売却と新たな画像の購入とが異なるタイミングで行われる場合にも、過去の購入実績を考慮して、適切な対価を設定できる。
【００５０】
（変形例４）
また、第二の実施形態のサーバ１が管理するユーザーごとの購入履歴情報を用いて、ユーザーが複数の表示端末４Ａおよび４Ｂを有する場合における画像の購入価格を決定してもよい。例えば、同一のユーザーが複数の表示端末４Ａおよび４Ｂを所有しており、一方の表示端末４Ｂで表示するための新たな画像を購入する場面を例に説明する。サーバ１は、表示端末４Ｂに関する購入履歴だけでなく、他方の表示端末４Ａに関する購入履歴を参照して、表示端末４Ｂのために購入する画像の価格を決定する。
【００５１】
具体的には、表示端末４Ａに関して購入済みの画像と同じ作家Ｙによって作成された画像を表示端末４Ｂのために購入する場合は、新たに購入する画像の価格を通常の価格より低く設定する。なお、変形例４の場合は、ユーザーが所有する複数の表示端末４Ａおよび４Ｂを、事前に購入履歴情報に含めておくものとする。すなわち、表示端末４Ａおよび４Ｂのそれぞれについて、購入された画像のＩＤと、購入日時情報と、表示開始日時情報とをユーザーＩＤ、及び端末ＩＤに関連付けて、購入履歴情報としてサーバ１において保存する。変形例４によれば、ユーザーが複数の表示端末４Ａおよび４Ｂを所有する場合にも、過去の購入実績を考慮して、適切な対価を設定できる。
【００５２】
（第三の実施形態）
上述した説明では、１つの表示端末４に対し、１枚の画像を表示させる例を説明したが、１つの表示端末４に複数の画像を１画面で表示させるようにしてもよい。第三の実施形態では、表示端末４が、例えば３枚の画像を表示する。もちろん、表示端末４に表示させる画像の枚数は３枚に限らず、２枚もしくは、３枚以上でもよい。ユーザーは、１つの表示端末４に対して３画像まで画像を購入できる。３画像を購入した後に、ユーザーが新たな画像の購入を希望する場合は、購入済みの画像を売却することによって購入が可能となる。
【００５３】
図９に例示するフローチャートは、第三の実施形態においてパソコン２が実行する処理の流れを説明するフローチャートである。ステップＳ２３０とステップＳ２４０との間にステップＳ２３５〜ステップＳ２３７が追加されている点が第一の実施形態の場合（図２）と異なるので、これらの相違点を中心に説明する。
【００５４】
図７は、図９のステップＳ２３０の表示によって、買替えユーザーのパソコン２に表示された表示画面を例示する図である。本例では、表示端末４に表示中の画像（画像Ｃ、画像Ｄ、および画像Ａ）を売却画像とするので、図７における売却画像として、表示端末４に表示されている上記３画像に対応する縮小画像と、それらの売却価格とが表示される。ここで、売却価格を購入時より安く設定する点は、第一の実施形態の場合と同様である。図７における購入画像の欄には、サーバ１によって販売中である画像の縮小画像の一覧と、それぞれの販売価格が表示される。
【００５５】
図９のステップＳ２３５において、パソコン２は、ユーザー操作に応じて売却画像を選択する。パソコン２は、売却画像のうち、ユーザー操作によって選択された画像（例えば図７における画像Ａ）の周りを太く囲み、どの画像が選択されているかを示す。
【００５６】
ステップＳ２３６において、パソコン２は、購入画像を選択する操作の受けつけ可否を判定する。パソコン２は、表示端末４に表示する画像数が３以下である場合に、ステップＳ２３６を肯定判定してステップＳ２３７へ進む。パソコン２は、表示端末４に表示する画像数が４以上である場合には、ステップＳ２３６を否定判定してステップＳ２３５へ戻る。ステップＳ２３５へ戻るのは、表示端末４の最大表示枚数（３枚）を超える画像の販売を制限するためである。
【００５７】
ステップＳ２３７において、パソコン２は、ユーザー操作に応じて購入画像を選択する。パソコン２は、購入画像のうち、ユーザー操作によって選択された画像（例えば図７における画像Ｂ）の周りを太く囲み、どの画像が選択されているかを示す。
【００５８】
パソコン２は、「売却を承諾して購入する」ボタン３３が操作された場合に、図９のステップＳ２４０を肯定判定してステップＳ２５０へ進む。パソコン２は、「売却を承諾して購入する」ボタン３３が操作されない場合には、ステップＳ２４０を否定判定して操作が行われるのを待つ。以降の処理は、図２の場合と同様である。
【００５９】
図８は、図７において「売却を承諾して購入する」ボタン３３が操作された後に、ユーザーのパソコン２に表示される画面を例示する図である。売却価格が４００円の売却画像Ａが選択された状態で画像Ｂを購入した場合には、購入した画像Ｂの縮小画像と、その購入価格が１５００円である旨と、売却画像Ａに対応する縮小画像と、その売却価格が４００円である旨とが表示される。この場合の支払い金額１１００円＝１５００円−４００円である。
【００６０】
なお、画像Ａを１枚売却して新たに画像Ｂを１枚購入する例を説明したが、複数の画像を売却して新たに複数の画像を購入するようにしてもよい。このとき、画像を２枚売却して新たに１枚または２枚の画像を購入するようにしてもよいし、画像を３枚売却して新たに１枚、２枚、または３枚の画像を購入するようにしてもよい。売却した画像の数より購入した画像の数が少ない場合は、購入されている画像のみを表示端末４に表示させる。例えば、表示端末４に表示させていた３枚の画像のうち２枚を売却して１枚を購入した場合は、もともと表示していた売却していない１枚の画像と、後から購入した１枚の画像との計２枚の画像を表示させる。
【００６１】
以上説明した第三の実施形態によれば、１つの表示端末４に複数の画像を表示させたい場合にも、適切に画像を提供できる。
【００６２】
なお、上述の実施形態では、ユーザーからの提供者への売却対象となる画像が存在しない場合、パソコン２の表示画面に売却画像をブランク（空白、もしくは黒塗りで売却画像がないことを示す）として表示したが、必ずしもこのような表示に限る必要はない。例えば表示方法として、売却画像を表示する欄そのものをなくし、空いた表示スペース分だけ購入画像の大きさを大きくして表示してもよい。
【００６３】
また、上述の実施形態では、パソコン２を介してサーバ１と表示端末４とで、ユーザーが購入する画像決定等を行ったが、必ずしもパソコン２を介して購入画像の決定を行う必要はない。例えば、サーバ１と表示端末４とが通信接続（有線接続、無線接続いずれでもよい）したことに応じて、予め定められた画像をサーバ１から表示端末４へと送信してもよい。もしくは、サーバ１と表示端末４とが通信接続した後に、表示端末４に備わるボタンを操作したことに応じて予め定められた画像をサーバ１から表示端末４へと送信してもよい。これは、通信接続するに応じて、いきなり予め定められた画像が送信されることを防ぐためである。この場合の画像の購入金額は、上述の通り、購入する前に表示端末に表示されていた画像に基づいて決定する。利用用途としては、例えば、購入する画像が作家Ｚによるシリーズ作品である場合、作家Ｚが作成した作品のシリーズを順番に視聴することなどである。この時、表示端末４に新たな画像を表示する場合は、現在表示端末４に表示されている画像から次に作家Ｚが作製した作品の画像へと表示内容を変更する。なお、作家Ｚのシリーズの最初の画像を表示端末４に表示させる方法としては、表示端末４の利用者が購入店に向かい、最初の画像を購入店で購入し、表示端末４へ画像をダウンロードするなどの方法がある。
【００６４】
このような構成にすることによって、上述の実施形態で記載さている、購入する画像の料金設定に関する効果を奏するだけでなく、簡単に表示内容の変更を行うことができる効果を奏する。
【００６５】
以上の説明はあくまで一例であり、上記の実施形態の構成に何ら限定されるものではない。各実施形態および変形例は、適宜組合せてもよい。
【符号の説明】
【００６６】
１…サーバ
２…パソコン
３…ネットワーク
４…表示端末
３１…売却画像欄
３２、３３…ボタン
【図１】
2015049598.tif 000003
【図２】
2015049598.tif 000004
【図３】
2015049598.tif 000005
【図４】
2015049598.tif 000006
【図５】
2015049598.tif 000007
【図６】
2015049598.tif 000008
【図７】
2015049598.tif 000009
【図８】
2015049598.tif 000010
【図９】
2015049598.tif 000011